(57)【要約】【課題】グレアおよび全光束低下を抑制しつつ配光特性を変更できるとともに、光透過性パネルの交換のみで簡便に照射範囲を変更できる利便性を兼ね備えた照明器具を提供すること。【解決手段】本発明の照明器具は、光源と、該光源に対向する位置に配置され、前記光源からの光を入光する入光面と、前記光源からの光を出光する出光面とを有する光透過性パネルと、を備えた照明器具であって、前記光透過性パネルを配置しない場合に、前記光源から照射される光の最大光度と、その軸光度の１／２の光度とのなす角度の２倍の角度が６０°以下であり、前記光透過性パネルの前記入光面または前記出光面に、凹凸形状を有し、前記凹凸形状の面に、垂直に光線を入射した場合の透過拡散光の拡散角度（ＦＷＨＭ）が１０°〜８０°であり、かつ、前記凹凸形状の面から光線を入射した場合におけるＪＩＳ  Ｋ７３６１−１に定める全光線透過率が８０％以上であり、かつ、ＪＩＳ  Ｋ７１３６に定めるヘイズ値が９０％以上であることを特徴とする。【選択図】なし【特許請求の範囲】
【請求項１】
光源と、該光源に対向する位置に配置され、前記光源からの光を入光する入光面と、前記光源からの光を出光する出光面とを有する光透過性パネルと、を備えた照明器具であって、前記光透過性パネルを配置しない場合に、前記光源から照射される光の最大光度と、その軸光度の１／２の光度とのなす角度の２倍の角度が６０°以下であり、前記光透過性パネルの前記入光面または前記出光面に、凹凸形状を有し、前記凹凸形状の面に、垂直に光線を入射した場合の透過拡散光の拡散角度（ＦＷＨＭ）が１０°〜８０°であり、かつ、前記凹凸形状の面から光線を入射した場合におけるＪＩＳ  Ｋ７３６１−１に定める全光線透過率が８０％以上であり、かつ、ＪＩＳ  Ｋ７１３６に定めるヘイズ値が９０％以上であることを特徴とする照明器具。
【請求項２】
前記光透過性パネルを配置しない場合の全光束をＡとし、前記光透過性パネルを配置した場合の全光束をＢとした場合の全光束低下率＝（Ａ−Ｂ）／Ａが０．１以下であることを特徴とする請求項１に記載の照明器具。
【請求項３】
前記光源がＬＥＤであること特徴とする請求項１又は請求項２に記載の照明器具。
【発明の詳細な説明】
【技術分野】
【０００１】
本発明は、照明器具に関する。
【背景技術】
【０００２】
近年、地球温暖化防止の観点から温室効果ガスである二酸化炭素の排出量削減が求められており、それに伴って省電力化に有効なＬＥＤ光源や蛍光灯光源を有する照明器具が増えてきている。部分照明として使われることの多いダウンライトやスポットライトなどの照明器具は光源として白熱電球やミニクリプトン球が使われるケースが多いが、これらの光源は発光効率が低く、より高効率で省電力化が図れるＬＥＤ光源や蛍光灯光源への移行が進んでいる。中でも長寿命で廃棄物の削減が可能であるとともに、有害物質を含まず環境保全に貢献できるＬＥＤ光源は発光効率の向上が著しく、ＬＥＤ光源を使用した照明器具は急速に普及が進んでいる。
【０００３】
通常、ダウンライトやスポットライトなどは、光源から照射された光を有効活用するため反射板の形状で配光特性を制御しており、使用目的に応じた所望の配光特性が得られるように設計された専用の反射板が配設されている。このため照明器具メーカーでは多くの種類のダウンライトやスポットライトなどを用意している。
【０００４】
ところが、ＬＥＤを用いたこれらの照明器具は、ＬＥＤの強い指向性と高い輝度によってグレアが非常に強く、不快に感じることがあった。
【０００５】
特開２００８−１２３８５２号公報（特許文献１）には、ＬＥＤ光源からの光を遮光することによってグレアを抑制する照明装置が示されている。しかしながら、遮光によるグレア抑制の場合、照明領域外からのグレアは抑制することができるが、照明領域内からＬＥＤ光源を見た場合、非常に輝度の高いＬＥＤを直視することになり不快である。
【０００６】
特開２００４−１９９８９１号公報（特許文献２）には、ＬＥＤ光源と配光制御用レンズを備え、配光制御用レンズを可動とすることで手軽に配光を切り替え可能な照明器具が示されている。しかしながら、レンズを使っての配光制御となるため、レンズ部を直視した場合のグレアを抑制できるものではない。
【０００７】
従来から知られているグレア抑制手段として、光源に対向するように拡散板を配置する方法がある。この方法はグレア抑制としての効果は認められるが、望む配光特性が大きく変化し、全光束が大幅に低下してしまう。すなわち簡便に配光特性を種々制御できるものでなく、また、光の利用効率が低下するために省エネという観点から好ましいものではなかった。
【０００８】
以上、本発明に関する従来の技術について説明してきたが、即ち、グレアおよび全光束低下を抑制しつつ配光特性を変更できるとともに、光透過性パネルの交換のみで照射範囲を簡便に変更できる利便性を兼ね備えた照明器具が実現できていないのが現状である。
【先行技術文献】
【特許文献】
【０００９】
【特許文献１】特開２００８−１２３８５２号公報
【特許文献２】特開２００４−１９９８９１号公報
【発明の概要】
【発明が解決しようとする課題】
【００１０】
本発明はかかる点に鑑みてなされたものであり、グレアおよび全光束低下を抑制しつつ配光特性を変更できるとともに、光透過性パネルの交換のみで簡便に照射範囲を変更できる利便性を兼ね備えた照明器具を提供することを目的とする。
【課題を解決するための手段】
【００１１】
本発明者は、前記課題を解決するために鋭意検討を重ねた結果、１／２ビーム角が６０°以下である照明器具の照射側に、特定の凹凸形状を有する光透過性パネルを光源に対向するように配置することにより上記の目的を達成し得ることを見出し、この知見に基づいて本発明を完成させるに至った。
【００１２】
本発明の照明器具は、光源と、該光源に対向する位置に配置され、前記光源からの光を入光する入光面と、前記光源からの光を出光する出光面とを有する光透過性パネルと、を備えた照明器具であって、前記光透過性パネルを配置しない場合に、前記光源から照射される光の最大光度と、その軸光度の１／２の光度とのなす角度の２倍の角度が６０°以下であり、前記光透過性パネルの前記入光面または前記出光面に、凹凸形状を有し、前記凹凸形状の面に、垂直に光線を入射した場合の透過拡散光の拡散角度（ＦＷＨＭ）が１０°〜８０°であり、かつ、前記凹凸形状の面から光線を入射した場合におけるＪＩＳ  Ｋ７３６１−１に定める全光線透過率が８０％以上であり、かつ、ＪＩＳ  Ｋ７１３６に定めるヘイズ値が９０％以上であることを特徴とする。
【００１３】
本発明の照明器具においては、前記光透過性パネルを配置しない場合の全光束をＡとし、前記光透過性パネルを配置した場合の全光束をＢとした場合の全光束低下率＝（Ａ−Ｂ）／Ａが０．１以下であることが好ましい。
【００１４】
本発明の照明器具においては、前記光源がＬＥＤであることが好ましい。
【発明の効果】
【００１５】
本発明によれば、グレアを抑制しながらも全光束低下を抑制して高い光の利用効率を維持し、配光特性を変更できる照明器具を提供できる。更に、通常は一度設置された照明器具の照射範囲を変えるためには照明器具本体を交換し再度付け直す必要があったが、本発明によれば、光透過性パネルの交換のみで簡便に照射範囲を変更できる利便性を兼ね備えた照明器具を提供することができる。
【図面の簡単な説明】
【００１６】
【図１】本発明の実施の形態に係る照明器具を示す概略図である。
【発明を実施するための形態】
【００１７】
以下、本発明の実施の形態について、添付図面を参照して詳細に説明する。
本発明の照明器具は、図１に示すように、光透過性パネル１と、ＬＥＤ光源２とを備えている。この照明器具においては、１／２ビーム角が６０°以下である照明器具の照射側に、特定の凹凸形状を有する光透過性パネルを組み合わせることで機能を発現する。このうち１／２ビーム角としては０〜５０°のものが好ましく用いられる。光源としては蛍光灯や白熱電球、ミニクリプトン球でも構わないが、より指向性が強く輝度の高いＬＥＤ光源と組み合わせることによって配光特性を制御しやすくなり、好適である。また、１／２ビーム角が６０°以下であると、光透過性パネルに入射する光の入射角の範囲が狭く、かつ法線入射に近くなるため透過拡散光の制御がし易くなり、好適である。１／２ビーム角が６０°を超えると、光透過性パネルに入射する光の入射角が幅広くなり、透過拡散光の制御が困難になる。
【００１８】
本発明に用いることができる照明器具としては、例えばダウライトやスポットライト、シーリングライト、ライトアップ照明器具、ライン照明器具などが挙げられる。例えば東芝ライテック株式会社製ＬＥＤＤ−６６００３Ｗ−ＬＳ１（１／２ビーム角４５°）、ＬＥＤＤ−４４００３Ｗ−ＬＳ１（１／２ビーム角５０°）、松下電工株式会社製ＮＮＮ２１９１０（１／２ビーム角４０°）、ＮＮＮ２１９００（１／２ビーム角３５°）、松下電工株式会社製ＮＮＮ２１６３７（１／２ビーム角１５°）、ＮＮＮ２１６３８（１／２ビーム角１５°）などのダウンライト、東芝ライテック株式会社製ＬＥＤＳ８００００Ｗ−ＬＳ、ＬＥＤＳ−８０００２Ｌ−ＬＳなどのスポットライトが挙げられる。ここでいう１／２ビーム角とは、照明器具から照射される光の最大光度と、その軸光度の１／２の光度とのなす角度の２倍の角度をいう。
【００１９】
これら照明器具の配光特性は、主として照明器具を構成しているリフレクターによって決められているため、所望の配光特性を得るためにはリフレクターの設計および交換が必要となるが、本発明の光透過性パネルを組み合わせた照明器具を用いれば、照明器具本体やリフレクターを交換することなく配光特性を変更することができる。また、従来のようにリフレクターによって配光特性を制御した場合、照明領域内からは光源であるＬＥＤを直視することになるため、非常にグレアが強く不快である。
【００２０】
これらの照明器具に、光源に対向するように拡散板を配置することによってグレアを抑制することは可能である。しかしながら、拡散板によって配光特性が変化したり、全光束が低下するため省エネという観点からも好ましくない。
【００２１】
また、例えば、ダウンライトを天井に設置し、絵画を照明する壁面照明として使用した場合、これまでは絵画の大きさが変わったりして照明範囲を変更するためには照明器具本体を交換する必要がある。
【００２２】
即ち、グレアを抑制しながらも全光束低下を抑制して高い光の利用効率を維持し、配光特性を変更できる、更に、状況に応じて光透過性パネルの交換のみで照射範囲を簡便に種々変更できる利便性を兼ね備えた照明器具の提供ができていないのである。
【００２３】
本発明の特定の凹凸形状を有する光透過性パネルを組み合わせた照明器具を用いれば、容易に配光特性を変更できるとともに、光透過性パネルの交換のみで簡便に照射範囲を変更することができるという利便性を兼ね備えたものとなる。
【００２４】
次に、本発明に用いられる特定の凹凸形状を有する光透過性パネルについて説明する。
本発明に用いられる光透過性パネルは、特定の凹凸形状面に垂直に光線を入射した場合の透過拡散光の拡散角度（ＦＷＨＭ）が１０°〜８０°であることが好ましく、より好ましくは２０°〜８０°である。拡散角度（ＦＷＨＭ）が１０°より小さいと、照射された光が光透過性パネルによって拡散される割合が減ってしまうため、グレアを抑制することが難しくなる。拡散角度（ＦＷＨＭ）が８０°を超えると、照射した光が広がりすぎてしまい、照明したい部分に到達する光の割合が減ってしまうため実用的ではない。なお、拡散角度とは、凹凸形状面にレーザーなどの平行光を入射した場合、ピーク輝度の半分が減衰する角（入射光との成す角）の２倍の角度（ＦＷＨＭ：Full Width Half Maximum）をいう。この拡散角度は、例えば日本電色工業株式会社製の変角色差計で法線角度が０°より入射した光の出光分布を測定することによって求めることができる。
【００２５】
本発明に用いられる光透過性パネルは、特定の凹凸形状面を入射面としたときのＪＩＳ  Ｋ７３６１−１に定める全光線透過率が８０％以上であり、より好ましくは８５％以上、更に好ましくは９０％以上である。光透過性パネルの全光線透過率を８０％以上とすることで、ＬＥＤ光源から照射された光を有効に活用でき、全光束の低下を抑制できる。なお、光透過性パネルの厚みは、取扱性、コストの観点から０．１ｍｍ〜５ｍｍであることが好ましい。
【００２６】
本発明に用いられる光透過性パネルは、特定の凹凸形状面を入射面としたときのＪＩＳ  Ｋ７１３６に定めるヘイズ値が９０％以上である。特定の凹凸形状により入射した光が効果的に拡散されるため、全光線透過率を８０％以上、且つヘイズ値を９０％以上とすることが可能となるものである。微粒子を用いて拡散を制御する方法は従来用いられているが、この方法ではヘイズを高くすると全光線透過率は低下せざるを得ない。しかしながら、凹凸形状を制御する方法では高いヘイズ値を有しながら、高い全光線透過率を有するという両方を満足できる特性を具現することが可能になる。ＬＥＤ光源は指向性が強く輝度が高いため、ＬＥＤ光源を直視した場合、ヘイズ値が９０％未満では強いグレアを感じ不快である。ヘイズ値を９０％以上とすることでグレアを低減でき、目に優しい照明とすることができる。
【００２７】
本発明に用いられる光透過性パネルの凹凸形状は、平均波長（λａ）が最大を示す方向での平均波長（λａ）Ｘと、最小を示す方向での平均波長（λａ）Ｙの比Ｘ／Ｙが１．０〜１．２であることが好ましい。平均波長（λａ）比Ｘ／Ｙが１．２より大きくなると、照射光が楕円形状となり、例えば複数のダウンライトで照明した場合に照度斑が生じる問題がある。平均波長（λａ）比Ｘ／Ｙを１．２以下とすることで、照射光が円形状に近くなり、複数のダウンライトで照明しても照度斑を少なくでき、汎用性が高まるため好適である。
【００２８】
また、最大を示す平均波長（λａ）Ｘは１μｍ〜１００μｍ以下であることが好ましく、より好ましくは１μｍ〜７０μｍ以下、更に好ましくは１μｍ〜５０μｍ以下である。人間の目の分解能は視野角で５０秒程度であり、通常、照明器具は人間の目の位置から１ｍ以上離れていることから、平均波長（λａ）Ｘを１００μｍ以下とすることで凹凸形状の付与がわかりにくいものとなり、乳白色のフロスト加工板のような和らぎ感のある光を得ることができる。平均波長（λａ）Ｘが１μｍより小さくなると、出光パターンを安定に制御できにくくなる。
【００２９】
ここでいう平均波長（λａ）とは、株式会社小坂研究所製高精度微細形状測定器サーフコーダＥＴ４０００を用い、以下の式に従って算出した値である。
λａ＝２π（Ｒａ／△ａ）
Ｒａとは、算術平均粗さのことで、株式会社小坂研究所製高精度微細形状測定器サーフコーダＥＴ４０００を用いＪＩＳ  Ｂ０６０１に準拠して測定した。また、△ａとは、平均傾斜勾配のことで、株式会社小坂研究所製高精度微細形状測定器サーフコーダＥＴ４０００を用いＡＳＭＥ  Ｂ４６．１：１９９５に準拠して測定した。
【００３０】
なお、平均波長（λａ）Ｘおよび平均波長（λａ）Ｙは、株式会社小坂研究所製高精度微細形状測定器サーフコーダＥＴ４０００を用いて三次元測定を行うことで、平均波長（λａ）が最大を示す方向および最小を示す方向を確認することができる。測定はそれぞれの方向において任意の２０ヶ所を行い、その平均値を平均波長（λａ）Ｘ、平均波長（λａ）Ｙとした。なお、測定に用いたスタイラスは、先端曲率半径＝２μｍ、先端角＝６０°を使用した。
【００３１】
本発明に用いられる光透過性パネルに特定の凹凸形状を賦形する方法としては、凹凸形状を有する金型を用いた射出成型法、凹凸形状を有する転写ロール（マスタ型）とベースフィルムとＵＶ硬化性樹脂などを用いてロールｔｏロールにより連続でフィルム上に凹凸を形成する転写法などが挙げられる。
【００３２】
特定の凹凸形状を有する金型や転写ロールを製作する方法として、干渉露光による方法が好ましい。干渉露光による凹凸形成とは、ディフューザーに光を当てた面の各点で拡散されたコヒーレント光が不規則な位相関係で干渉しあうことによって生じる不規則な輝度斑（スペックル）を感光材に露光、現像することによって凹凸を形成させる方法である。干渉露光によって得られる凹凸形状は微細な３次元構造を持っており、スペックルパターンを制御することで本発明に求められる特定の凹凸形状を形成することができる。なお、この微細な３次元構造は、複数の凹凸構造で構成されている。前記凹凸形状の高さ及びピッチは不規則であり、擬似ランダム形状である。このように不規則な擬似ランダム形状を有しているため、本発明の光透過性パネルとして用いた場合、照射パターンが滑らかであり斑を生じにくい傾向がある。特に１／２ビーム角が１０°以下のような非常に小さな照明器具などはその傾向が強くなる。
【００３３】
具体的には、次のようにして形成することができる。まず、予め干渉露光によりスペックルパターンを形成したサブマスタ型を作製し、このサブマスタ型に電鋳などの方法で金属を被着してこの金属にスペックルパターンを転写してマスタ型を作製する。光透過性樹脂層に、上記マスタ型を用いて紫外線による賦形を行って光透過性樹脂層の表面にスペックルパターンを転写する。このサブマスタ型の詳細な製造方法については、特許第３４１３５１９号公報に開示されている。この内容はすべてここに含めておく。
【００３４】
スペックルパターンの寸法、形状及び方向を調節することにより、平均波長（λａ）を制御することができる。一般に、平均波長（λａ）はスペックルの平均サイズ及び形状に依存する。スペックルが小さければ平均波長（λａ）が小さくなる。このように所望する拡散角度に応じてスペックルパターンを決定することができる。このスペックルパターンの詳細な製法については、特許第３３９０９５４号公報に開示されている。この内容はすべてここに含めておく。拡散角度は凹凸構造のピッチ、高さ、アスペクト比を変えて制御しても構わないし、紫外線硬化される光透過性樹脂層の屈折率を変えて制御しても構わない。
【００３５】
本発明に用いられる光透過性パネルは、特定の凹凸形状を有するフィルムを作製後、ポリエチレンテレフタレート、ポリメチルメタクリレート、ポリスチレン、ポリカーボネートなどの光透過性プラスチックのフィルム、シート、板などからなる支持体でも良く、ガラスなどの光透過性材料からなる支持体に粘着材や熱転写などによって貼り合わせたものでも良い。支持体としては、ポリエチレンテレフタレート、ポリカーボネート、ポリスチレン、ポリメチルメタクリレート、ガラスなど、ＪＩＳ  Ｋ７３６１−１に定める全光線透過率が８０％以上の透光性材料であれば良い。
【００３６】
本発明に用いられる光透過性パネルは、特定の凹凸形状を有する面を光源側に設置することが好ましい。このように、凹凸形状を光源側に設置することにより、全光線透過率の低下を抑える効果が大きくなる傾向がある。
【００３７】
本発明に用いられる光透過性パネルは、特定の凹凸形状が表裏両面に形成されていても構わない。また、本発明に用いられる光透過性パネルは、特定の凹凸形状を有する面の反対面に変角用プリズム形状を有しても良い。変角用プリズム形状を有することで、照射された光の進行方向を変えることができ、所望の照射方向を有効に照らすことができる。例えば、天井に取り付けたダウンライトで壁面の絵画を照らしたりすることに有効である。また、階段のような傾斜天井に取り付けた場合、照明器具の真下方向を照らすことができるため、階段を下りる際に光源が直接目に入ることによる眩しさを低減できるものである。
【００３８】
本発明に用いられる光透過性パネルには、表面に反射防止膜をコーティングしても良い。反射防止膜をコーティングすることによって全光線透過率を向上させることができるため、全光束の低下抑制に繋がる。
【００３９】
本発明の照明器具は、光透過性パネルを配置しない場合の全光束をＡ、光透過性パネルを配置した場合の全光束をＢとした場合の全光束低下率＝（Ａ−Ｂ）／Ａが０．１以下であるのが好ましく、特に０．０６以下とするのが好ましい。全光束低下率を０．１以下とすることで照射光の有効活用を図ることができ、省電力化の観点から好ましいものとなる。本発明に用いられる特定の凹凸形状を有する光透過性パネルを配置することにより、全光束低下率を抑えることができる。本発明の照明器具によって全光束低下率を抑えられる根拠は定かではないが、光透過性パネルの凹凸形状面で反射された光が、再度、光透過性パネルに入射する割合が高まり、照射された光のロスが少なくなるためと推定される。一方、１／２ビーム角が６０°を超えると、光透過性パネルに対して高入射角の光が増え、光透過性パネルの凹凸形状表面で反射された光が、再度、光透過性パネルに入射する割合が少なくなるため、照射光のロスが生じ、全光束低下率が大きくなってしまうと推定される。
【００４０】
本発明の照明器具によれば、グレアおよび全光束の低下を抑制しつつ配光特性を変更できるとともに、光透過性パネルの交換のみで照射範囲を簡便に変更できる利便性を兼ね備えた照明器具を提供することができる。
【００４１】
従来から知られているレンズによる配光制御では、グレアを抑制することが難しく、また拡散板などの配置によるグレア抑制では、配光特性が変化したり全光束が低下してしまう問題が生じてしまう。また、通常は一度設置した照明器具の照射範囲を変えるためには照明器具本体を交換し再度付け直す必要がある。即ち、本発明の照明器具のようなグレアおよび全光束低下を抑制しつつ配光特性を変更できるとともに、光透過性パネルの交換のみで照射範囲を簡便に変更できる利便性を兼ね備えた照明器具の提供は困難である。
【００４２】
次に、本発明の効果を明確にするために行った実施例について説明するが、本発明はこれらに限定されるものではない。
【００４３】
［ダウンライト］
東芝ライテック株式会社製ＬＥＤダウンライトＬＥＤＤ−６６００３Ｗ−ＬＳ１（下面カバーを取り外した状態の１／２ビーム角＝４５°、全光束＝３６８ｌｍ、グレア評価＝×）、ＬＥＤＤ−６６００１Ｗ−ＬＳ１（下面カバーを取り外した状態の１／２ビーム角＝８８°、全光束＝３５７ｌｍ、グレア評価＝×）を用いた。
【００４４】
［光透過性パネル］
スペックルパターンを制御して種々の凹凸形状を有するマスタ型を作製した。次いで、ポリエチレンテレフタレート基材（厚み１８８μｍ）とＵＶ硬化性樹脂を用いた転写法にて特定の凹凸形状を有する光透過性パネルを作製した。光透過性パネルの凹凸形状を、株式会社小坂研究所製高精度微細形状測定器サーフコーダＥＴ４０００を用いて測定し、平均波長（λａ）を算出した。また、パネルの凹凸形状を有する面から、平行光線を入射させ、変角色差計（日本電色工業株式会社製）で拡散角度Ａ、Ｂを測定した。これらの結果を表１に要約した。光透過性パネルのサンプル名称は表１に準じて表現した。
【００４５】
［各種測定方法］
（１）１／２ビーム角
照明器具から照射される光の最大光度と、その軸光度の１／２の光度とのなす角度の２倍の角度を１／２ビーム角とした。
（２）全光束の測定
全光束測定装置（大塚電子株式会社製、ＨＭシリーズ）を用いて測定した。
（３）グレア評価
ＬＥＤ光源を目視した場合の眩しさで評価した。
○＝それほどグレアを感じない
△＝ややグレアを感じる
×＝非常にグレアが強く不快
【００４６】
［実施例１］
東芝ライテック株式会社製ＬＥＤダウンライト（ＬＥＤＤ−６６００３Ｗ−ＬＳ１）の下面カバー（フロスト加工ＰＭＭＡ板）を光透過性パネル（表１のパネルａ）に交換し、１／２ビーム角および全光束の測定を行った。その後、高さ２０００ｍｍの天井に取り付け、目視によりグレアの評価を行った。１／２ビーム角、全光束、グレアの評価を表２に示した。１／２ビーム角は６３°、全光束は３５８ｌｍ、全光束低下率は０．０３で、光透過性パネル配置による全光束の低下は極僅かだった。それほどグレアを感じることは無かった。
【００４７】
［実施例２］
下面カバー（フロスト加工ＰＭＭＡ板）を光透過性パネル（表１のパネルｂ）に変更した以外は実施例１と同様とした。１／２ビーム角、全光束、グレアの評価を表２に示した。１／２ビーム角は９８°、全光束は３４７ｌｍ、全光束低下率は０．０６で、光透過性パネル配置による全光束の低下は極僅かだった。それほどグレアを感じることは無かった。
【００４８】
［実施例３］
下面カバー（フロスト加工ＰＭＭＡ板）を光透過性パネル（表１のパネルｃ）に変更した以外は実施例１と同様とした。１／２ビーム角、全光束、グレアの評価を表２に示した。１／２ビーム角は１０８°、全光束は３４８ｌｍ、全光束低下率は０．０５で、光透過性パネル配置による全光束の低下は極僅かだった。それほどグレアを感じることは無かった。
【００４９】
［比較例１］
下面カバー（フロスト加工ＰＭＭＡ板）を拡散シート（株式会社ツジデン製、光拡散シート、Ｄ１２３）に変更した以外は実施例１と同様とした。１／２ビーム角、全光束、グレアの評価を表２に示した。１／２ビーム角は９８°、全光束は３１９ｌｍ、全光束低下率は０．１３で、全光束の低下が大きかった。それほどグレアを感じることは無かった。
【００５０】
［比較例２］
下面カバー（フロスト加工ＰＭＭＡ板）を拡散板（粒系２μｍ、真比重１．３５のシリコーン微粒子を８，０００ｐｐｍ含有したポリスチレン製拡散板）に変更した以外は実施例１と同様とした。１／２ビーム角、全光束、グレアの評価を表２に示した。１／２ビーム角は１０４°、全光束は３１６ｌｍ、全光束低下率は０．１４で、全光束の低下が大きかった。それほどグレアを感じることは無かった。
【００５１】
［比較例３］
東芝ライテック株式会社製ＬＥＤダウンライト（ＬＥＤＤ−６６００３Ｗ−ＬＳ１）の１／２ビーム角および全光束の測定を行った。その後、高さ２０００ｍｍの天井に取り付け、目視によりグレアの評価を行った。１／２ビーム角、全光束、グレアの評価を表２に示した。１／２ビーム角は４６°。全光束は３６５ｌｍでありフロスト加工ＰＭＭＡ板での全光束低下率は０．０１で、全光束の低下は極僅かだった。しかしながら、ややグレアを感じ、不快だった。
【００５２】
［比較例４］
東芝ライテック株式会社製ＬＥＤダウンライト（ＬＥＤＤ−６６００１Ｗ−ＬＳ１）の下面カバー（透明アクリル板）を光透過性パネル（表１のパネルｂ）に交換し、１／２ビーム角および全光束の測定を行った。その後、高さ２０００ｍｍの天井に取り付け、目視によりグレアの評価を行った。１／２ビーム角、全光束、グレアの評価を表２に示した。１／２ビーム角は１０８°、全光束は３１５ｌｍ、全光束低下率は０．１２で、全光束の低下が大きかった。それほどグレアを感じることは無かった。
【００５３】
【表１】
2010218723.tif 000002
【表２】
2010218723.tif 000003
【００５４】
本発明は上記実施の形態に限定されず、種々変更して実施することが可能である。例えば、上記実施の形態における部材の材質、配置、形状などは例示的なものであり、適宜変更して実施することが可能である。その他、本発明の範囲を逸脱しない限りにおいて適宜変更して実施することが可能である。
【産業上の利用可能性】
【００５５】
本発明の照明器具は、グレアおよび全光束低下を抑制しつつ配光特性を変更でき、更に光透過性パネルの交換のみで照射範囲を簡便に変更できる特徴を有していることから、ＬＥＤ光源を有する照明分野への利用が期待できる。
【符号の説明】
【００５６】
１  光透過性パネル
２  ＬＥＤ光源
【図１】
2010218723.tif 000004